(57)【要約】【課題】複数の収納部が一体に繋がった状態にあって、取り扱いに便利な分別回収用容器を提供する。【解決手段】平面形状が矩形で上端が開口する横長状の容器本体１の長辺側の対向側板２の上端には１つ以上の凹部３を形成し、この容器本体１には短辺側の一方の側板４と長辺側の対向側板２の凹部３との間の位置で袋５を収納し、この袋５の上端を外側に折り返して短辺側の一方の側板４とその側板４に隣接する長辺側の対向側板２の上端に引っ掛けるように構成し、また短辺側の他方の側板４と長辺側の対向側板２の凹部３との間の位置で袋５を収納し、この袋５の上端を外側に折り返して短辺側の他方の側板４とその側板４に隣接する長辺側の対向側板２の上端に引っ掛けるように構成した。【選択図】    図３
2006143413.tif 000002
【特許請求の範囲】
【請求項１】
平面形状が矩形で上端が開口する横長状の容器本体の長辺側の対向側板の上端には１つ以上の凹部を形成し、この容器本体には短辺側の一方の側板と長辺側の対向側板の凹部との間の位置で袋を収納し、この袋の上端を外側に折り返して短辺側の一方の側板とその側板に隣接する長辺側の対向側板の上端に引っ掛けるように構成し、また前記短辺側の他方の側板と長辺側の対向側板の凹部との間の位置で袋を収納し、この袋の上端を外側に折り返して短辺側の他方の側板とその側板に隣接する長辺側の対向側板の上端に引っ掛けるように構成したことを特徴とする分別回収用容器。
【請求項２】
長辺側の対向側板の上端には長辺側の対向側板の複数箇所に凹部を形成し、容器本体の中間部においては長辺側の各側板の隣り合う凹部の位置で容器本体内に袋を収納し、この袋の上端を外側に折り返して長辺側の対向側板の上端に引っ掛けるように構成したことを特徴とする請求項１記載の分別回収用容器。
【請求項３】
パイプ材にて作られた斜め縦方向に向く互いに平行な枠部と、この枠部の上端間および下端間を繋ぐ互いに平行な枠部とからなる一方の枠体と、パイプ材にて作られた斜め縦方向に向く互いに平行な枠部と、この枠部の上端間および下端間を繋ぐ互いに平行な枠部とからなる枠体とを備え、一方の枠体の斜め縦方向に向く枠部の長さ方向中央部と他方の枠体の斜め縦方向に向く枠部の長さ方向中央部とを軸で互いに回動自在に繋いで２つの枠体からなるフレームを折り畳み可能に構成し、一方の枠体と他方の枠体とが互いに開いてＸ字状を呈した状態において両枠体の上端に位置する枠部に形成した孔部に金属棒を門型に折り曲げてなる連結金具の折り曲げ端部を差し込んで両枠体の上端に位置する枠部間に少なくとも４箇所において連結金具を掛け渡し、この掛け渡されて対となる連結金具の間に袋を収納し、この袋の上端を外側に折り返して対となる連結金具の上端に引っ掛けるように構成したことを特徴とする分別回収用容器。
【発明の詳細な説明】
【技術分野】
【０００１】
本発明は、建物の工事現場、家庭、オフィスなどにおいて廃棄物を分別回収するために設置される分別回収用容器に関するものである。
【背景技術】
【０００２】
従来からオフィス、建物の工事現場、家庭などにおいて廃棄物を分別回収するために、廃棄物を種類ごとに分けて収納するボックスが複数個並べられて設置され、各ボックス内に例えば紙類、樹脂類、金属類を別々に投入している。
【発明の開示】
【発明が解決しようとする課題】
【０００３】
上記のように廃棄物を分別回収するために、廃棄物を種類ごとに分けて収納するボックスが複数個並べられて設置することが知られているが、各ボックスは互いに切り離されており、取り扱いの上で個々に持ち運びしなければならず、数が多くなればなるほど面倒であるという問題があった。
【０００４】
本発明の目的は、このような課題を解決するものであり、複数の収納部が一体に繋がった状態にあって、取り扱いに便利な分別回収用容器を提供することにある。
【課題を解決するための手段】
【０００５】
本発明の請求項１に記載の分別回収用容器は、平面形状が矩形で上端が開口する横長状の容器本体の長辺側の対向側板の上端には１つ以上の凹部を形成し、この容器本体には短辺側の一方の側板と長辺側の対向側板の凹部との間の位置で袋を収納し、この袋の上端を外側に折り返して短辺側の一方の側板とその側板に隣接する長辺側の対向側板の上端に引っ掛けるように構成し、また前記短辺側の他方の側板と長辺側の対向側板の凹部との間の位置で袋を収納し、この袋の上端を外側に折り返して短辺側の他方の側板とその側板に隣接する長辺側の対向側板の上端に引っ掛けるように構成したことを特徴とする。
【０００６】
請求項２に記載の分別回収用容器は、長辺側の対向側板の上端には長辺側の対向側板の複数箇所に凹部を形成し、容器本体の中間部においては長辺側の各側板の隣り合う凹部の位置で容器本体内に袋を収納し、この袋の上端を外側に折り返して長辺側の対向側板の上端に引っ掛けるように構成したことを特徴とする。
【０００７】
請求項３に記載の分別回収用容器は、パイプ材にて作られた斜め縦方向に向く互いに平行な枠部と、この枠部の上端間および下端間を繋ぐ互いに平行な枠部とからなる一方の枠体と、パイプ材にて作られた斜め縦方向に向く互いに平行な枠部と、この枠部の上端間および下端間を繋ぐ互いに平行な枠部とからなる枠体とを備え、一方の枠体の斜め縦方向に向く枠部の長さ方向中央部と他方の枠体の斜め縦方向に向く枠部の長さ方向中央部とを軸で互いに回動自在に繋いで２つの枠体からなるフレームを折り畳み可能に構成し、一方の枠体と他方の枠体とが互いに開いてＸ字状を呈した状態において両枠体の上端に位置する枠部に形成した孔部に金属棒を門型に折り曲げてなる連結金具の折り曲げ端部を差し込んで両枠体の上端に位置する枠部間に少なくとも４箇所において連結金具を掛け渡し、この掛け渡されて対となる連結金具の間に袋を収納し、この袋の上端を外側に折り返して対となる連結金具の上端に引っ掛けるように構成したことを特徴とする。
【発明の効果】
【０００８】
以上のように、本発明の分別回収用容器は、少なくとも２箇所において袋の上端を外側に折り返して分別回収用容器の上端に引っ掛けることにより複数の袋が並んだ状態でセットされることになり、複数の収納部を備えた取り扱いに便利な分別回収用容器を提供することができる。
【発明を実施するための最良の形態】
【０００９】
以下、本発明の実施の形態を、図面に基づき具体的に説明する。
先ず、図１〜図３に示す第１の実施の形態について説明すると、１は合成樹脂あるいはアルミなどの金属を材料にして作られ平面形状が矩形で上端が開口する横長状の容器本体で、長辺側の対向側板２，２の上端には長辺側の対向側板２，２を５等分する位置で４箇所に凹部３が形成されている。この容器本体１には短辺側の一方の側板４とその側板４に最も近くに位置する長辺側の対向側板２，２の凹部３，３との間の位置で合成樹脂製の袋５を収納し、この袋５の上端を外側に折り返して短辺側の一方の側板４とその側板４に隣接する長辺側の対向側板２，２の上端に引っ掛ける。また、短辺側の他方の側板４とその側板４に最も近くに位置する長辺側の対向側板２，２の凹部３，３との間の位置で合成樹脂製の袋５を収納し、この袋５の上端を外側に折り返して短辺側の他方の側板４とその側板４に隣接する長辺側の対向側板２，２の上端に引っ掛ける。これにより容器本体１の両端部にそれぞれ袋５が引っ掛けられてセットされるのであるが、中間部においては長辺側の各側板２，２の隣り合う凹部３，３の位置で容器本体１内に合成樹脂製の袋５を収納し、この袋５の上端を外側に折り返して長辺側の対向側板２，２の上端に引っ掛ける。図面に示す実施の形態では長辺側の対向側板２，２を５等分する位置で４箇所に凹部３が形成されていることから容器本体１内には５枚の袋５が収納されてセットされることになる。６は前記容器本体１の上端を閉じるために合成樹脂あるいはアルミなどの金属を材料にして作られた蓋体で、容器本体１の後側に位置する長辺側の一方の側板２の上端外面に形成された軸受用のリブ７，７と蓋体６の後側に位置する長辺側に沿う外面に形成された軸受用のリブ８，８とに軸９を挿通させて容器本体１に対して蓋体６を開閉自在に取り付けている。
【００１０】
次に、図４〜図７に示す第２の実施の形態について説明すると、１０は斜め縦方向に向く互いに平行な枠部１０ａ，１０ａと、この枠部１０ａ，１０ａの上端間および下端間を繋ぐ互いに平行な枠部１０ｂ，１０ｂとからなる一方の枠体で、アルミなどの金属あるいは合成樹脂からなるパイプ材にて作られている。１１は同じく斜め縦方向に向く互いに平行な枠部１１ａ，１１ａと、この枠部１１ａ，１１ａの上端間および下端間を繋ぐ互いに平行な枠部１１ｂ，１１ｂとからなる他方の枠体で、アルミなどの金属あるいは合成樹脂からなるパイプ材にて作られている。そして、一方の枠体１０の枠部１０ａ，１０ａ間の間隔は他方の枠体１１の枠部１１ａ，１１ａ間の間隔よりも一回り、具体的には他方の枠体１１の枠部１１ａ，１１ａが一方の枠体１０の枠部１０ａ，１０ａ内に殆ど隙間無く入る程度に大きく作られている。また、一方の枠体１０の枠部１０ｂ，１０ｂ間の間隔も他方の枠体１１の枠部１１ｂ，１１ｂ間の間隔よりも一回り、具体的には他方の枠体１１の枠部１１ｂ，１１ｂが一方の枠体１０の枠部１０ｂ，１０ｂ内に殆ど隙間無く入る程度に大きく作られている。そして、一方の枠体１０の枠部１０ａ，１０ａの長さ方向中央部と他方の枠体１１の枠部１１ａ，１１ａの長さ方向中央部とを軸１２で互いに回動自在に繋いで２つの枠体１０，１１からなるフレーム１３を折り畳み可能としている。つまり、一方の枠体１０内に他方の枠体１１が完全に嵌り込んだ状態と、一方の枠体１０と他方の枠体１１とが互いに開いてＸ字状を呈した状態とになるように構成されている。一方の枠体１０と他方の枠体１１の上端に位置する枠部１０ａおよび１１ａにはそれぞれ一方の枠体１０と他方の枠体１１とが互いに開いてＸ字状を呈した状態においてステンレスなどからなる金属棒を門型に折り曲げてなる連結金具１４の折り曲げ端部１４ａ，１４ｂを差し込むための孔部１５および１６が形成されている。この孔部１５および１６の位置は枠部１０ａおよび１１ａの長さ方向両端部および長さ方向に４等分する位置で形成されている。詳しくは長さ方向に４等分する位置では孔部１５および１６はそれぞれ近接して形成され、枠部１０ａおよび１１ａにはそれぞれ８箇所づつに形成されている。そして、一方の枠体１０と他方の枠体１１の上端に位置する枠部１０ａおよび１１ａの長さ方向一端部に位置する孔部１５および１６に連結金具１４の折り曲げ端部１４ａおよび１４ｂを差し込んで上端に位置する枠部１０ａおよび１１ａ間に連結金具１４を掛け渡し、また枠部１０ａおよび１１ａの長さ方向他端部に位置する孔部１５および１６に連結金具１４の折り曲げ端部１４ａおよび１４ｂ差し込んで上端に位置する枠部１０ａおよび１１ａ間に連結金具１４を掛け渡し、さらに枠部１０ａおよび１１ａの長さ方向を等分する位置の孔部１５および１６に連結金具１４の折り曲げ端部１４ａおよび１４ｂを差し込んで上端に位置する枠部１０ａおよび１１ａ間に連結金具１４を掛け渡し、これにより合計８箇所において連結金具１４で一方の枠体１０と他方の枠体１１のＸ字状の角度を維持している。
【００１１】
このように連結金具１４により８箇所でＸ字状の角度を維持されている一方の枠体１０と他方の枠体１１の間には枠部１０ａおよび１１ａの長さ方向一端部に位置する連結金具１４と、この連結金具１４に隣り合う長さ方向中間部の１つの連結金具１４の間ならびに枠部１０ａおよび１１ａの長さ方向他端部に位置する連結金具１４と、この連結金具１４に隣り合う長さ方向中間部の他方の連結金具１４の間さらに長さ方向に４等分する位置の３箇所において隣り合う位置での連結金具１４，１４間に合成樹脂製の袋５を収納し、この袋５の上端を外側に折り返して連結金具１４の上端に引っ掛けることにより４枚の袋５が収納されて枠体１０，１１間に保持され、分別回収用容器が完成する。
【００１２】
以上述べた第１の実施の形態では５枚の袋５がセットされて廃棄物を５種類に分けて収納するようになっており、また第２の実施の形態では４枚の袋５がセットされて廃棄物を２種類に分けて収納するようになっているが、セットされる袋５の枚数は特に限定されるものではなく、少なくとも２枚の袋５がセットされるようにすれば良い。また、袋５は合成樹脂製のもの以外に布製のものを使用するようにしても良い。
【図面の簡単な説明】
【００１３】
【図１】本発明の第１の実施の形態における分別回収用容器の分解斜視図である。
【図２】同分別回収用容器の完成斜視図である。
【図３】同分別回収用容器に袋をセットした状態を示す斜視図である。
【図４】本発明の第２の実施の形態における分別回収用容器の分解斜視図である。
【図５】同分別回収用容器の完成斜視図である。
【図６】同分別回収用容器に袋をセットした状態を示す斜視図である。
【図７】同分別回収用容器を折り畳んだ状態を示す斜視図である。
【符号の説明】
【００１４】
１              容器本体
２              側板
３              凹部
４              側板
５              袋
６              蓋体
７，８          リブ
９              軸
１０              枠体
１０ａ，１０ｂ    枠部
１１              枠体
１１ａ，１１ｂ    枠部
１２              軸
１３              フレーム
１４              連結金具
１４ａ，１４ｂ    折り曲げ端部
１５，１６        孔部
【図１】
2006143413.tif 000003
【図２】
2006143413.tif 000004
【図３】
2006143413.tif 000005
【図４】
2006143413.tif 000006
【図５】
2006143413.tif 000007
【図６】
2006143413.tif 000008
【図７】
2006143413.tif 000009